(57)【要約】【課題】液体を入れて飲むカップと食べ物を載せる皿の機能を一体化した皿つきカップに関し、カップと皿が一体になった皿つきカップを実現することで、飲み物の入ったカップと食べ物の載った皿を片手で持てるようにする。【解決手段】カップ部１の上端に、該カップ部より大径の皿状部２を一体に有しており、該カップ部１の上側は開口になっている皿つきカップを使用する際に、該カップ部の開口を閉鎖する蓋板６をセットして、該蓋板６および皿状部２の上に食べ物５を載置し、該蓋板６に開けてある孔からストロー９を該カップ部１中に挿入して、該カップ部１中の液体８を飲めるようにした皿つきカップの構造。【選択図】　　　　　図２
2004049662.tif 000002
【特許請求の範囲】
【請求項１】
カップ部の上端に、該カップ部より大径の皿状部を一体に有しており、該カップ部の上側は開口になっていることを特徴とする皿つきカップ。
【請求項２】
前記のカップ部の上側の開口を閉鎖するための蓋板を有しており、該蓋板には、ストローを挿通する孔が開いていることを特徴とする請求項１に記載の皿つきカップ。
【請求項３】
前記のカップ部を手に持ったとき、少なくとも親指と人差し指の当たる部分が、他の領域より相対的に引っ込んでいることを特徴とする請求項１または請求項２に記載の皿つきカップ。
【請求項４】
前記の皿状部に、小皿状の凹状部を有していることを特徴とする請求項１、請求項２または請求項３に記載の皿つきカップ。
【請求項５】
前記のカップ部を挿入することによって転倒防止するための支持手段を有していることを特徴とする請求項１、請求項２、請求項３または請求項４に記載の皿つきカップ。
【請求項６】
カップ部の上端に、該カップ部より大径の皿状部を一体に有しており、該カップ部の上側は開口になっている皿つきカップを使用する際に、
該カップ部の開口を閉鎖する蓋板をセットして、該蓋板および皿状部の上に食べ物を載置し、該蓋板に開けてある孔からストローを該カップ部中に挿入して、該カップ部中の液体を飲むことを特徴とする皿つきカップの使用方法。
【発明の詳細な説明】
【０００１】
【産業上の利用分野】
本発明は、液体を入れて飲むカップと食べ物を載せる皿の機能を一体化した皿つきカップに関する。
【０００２】
【従来の技術と発明が解決しようとする課題】
例えば祭り会場などにおいて、立ったままで飲食をする場合、飲み物の入っているカップと食べ物の入っている皿とを同時に手に持って飲食するのは困難であり、非常に不便を感じる。つまり、片手にカップを持ち、他方の手に皿を持った場合、両手が塞がってしまうので、飲んだり食べたりすることができなくなってしまう。
【０００３】そのため、少なくとも片方、すなわちカップまたは皿を一時的に置けるテーブルや台などを探す必要がある。近くにテーブルや台などが無い場合は、飲んだり食べたりすることが不可能となってしまう。
【０００４】本発明の技術的課題は、このような問題に着目し、カップと皿が一体になった皿つきカップを実現することで、飲み物の入ったカップと食べ物の載った皿を片手で持てるようにすることにある。また、このような皿つきカップにおいて、皿部の面積を広くして、より大量の食べ物を載せられるようにしたり、皿つきカップが転倒するのを防止したり、持ちやすくしたりすることによって、皿つきカップにおける問題を解消することにある。
【０００５】
【課題を解決するための手段】
本発明の技術的課題は次のような手段によって解決される。請求項１は、カップ部の上端に、該カップ部より大径の皿状部を一体に有しており、該カップ部の上側は開口になっている皿つきカップである。皿状部の断面形状は、円弧状の凹曲面でもよいし、平坦状でもよい。
【０００６】このように、カップ部の上端に、該カップ部より大径の皿状部を一体に有しており、該カップ部の上側は開口になっているので、カップ部に飲み物を入れておいてストローで飲むことができ、また皿状部には食べ物を載せておくことができる。
【０００７】したがって、皿状部のついたカップ部を片方の手で持てば、他方の空いた手でカップ部中の飲み物を飲んだり、皿状部の上の食べ物を取って食べたりでき、テーブルなどを必要とせず、立ったままの状態で容易に飲んだり食べたりできる。
【０００８】請求項２は、請求項１に記載のカップ部の上側の開口を閉鎖するための蓋板を有しており、該蓋板には、ストローを挿通する孔が開いている皿つきカップである。このように、カップ部の上側の開口を閉鎖する蓋板を有しているので、この蓋板の上にも食べ物を載せることができる。その結果、カップ部の上側の開口部も食べ物を載せるのに利用でき、より広いスペースを利用して、より大量の食べ物を載せることができる。また、該蓋板には、ストローを挿通する孔が開いていて、カップ部中の飲み物はストローによって容易に飲めるので、カップ部中の飲み物を飲むのに不自由はしない。
【０００９】請求項３は、請求項１または請求項２に記載のカップ部を手に持ったとき、親指と人差し指の当たる部分が、他の領域より引っ込んでいる皿つきカップである。このように、カップ部を手に持ったとき、親指と人差し指の当たる部分が、他の領域より引っ込んでいるので、カップ部が滑ったりするのを防止でき、安定よくカップ部を持つことができる。
【００１０】請求項４は、請求項１、請求項２または請求項３に記載の皿状部に、小皿状の凹状部を有している皿つきカップである。この凹状部の個数は、１個でも複数個てもよい。この凹状部は、小皿として利用でき、液体や粉体や粒体などの調味料を入れるのに便利である。このように、前記の皿状部に凹状部を有しているので、皿状部に刺し身などを置いて食べる際に、凹状部に醤油やわさびなどを入れることができ、特別の醤油入れ用の小皿などを必要としない。
【００１１】請求項５は、請求項１、請求項２、請求項３または請求項４に記載のカップ部を挿入することによって転倒防止するための支持手段を有している皿つきカップである。このように、カップ部を挿入することによって転倒防止するための支持手段を有しているので、付近のテーブルや台などに一時的にカップ部を置く際に、皿状部を有していて安定性の悪い皿つきカップを転倒しないように安定よく置くことが可能となる。
【００１２】請求項６は、カップ部の上端に、該カップ部より大径の皿状部を一体に有しており、該カップ部の上側は開口になっている皿つきカップを使用する際に、該カップ部の開口を閉鎖する蓋板をセットして、該蓋板および皿状部の上に食べ物を載置し、該蓋板に開けてある孔からストローを該カップ部中に挿入して、該カップ部中の液体を飲むことを特徴とする皿つきカップの使用方法である。
【００１３】このように、請求項２のような蓋板つきの皿つきカップを使用する際に、カップ部の開口に蓋板をセットして、蓋板の上にも食べ物を載置できる。しかも、該蓋板の孔からストローを挿入して、カップ部中の液体を飲むことができるので、蓋板の上にも食べ物を載せても、特に支障が生じることはない。
【００１４】
【発明の実施の形態】
次に本発明による皿つきカップが実際上どのように具体化されるか実施形態を説明する。図１は本発明による皿つきカップの基本構成を示す図であり、（１）は斜視図、（２）は中心縦断面図である。
【００１５】１はカップ部、２は皿状部であり、カップ部１の上端に皿状部２の底部が一体に連結している。カップ部１の上端３は開口しているので、皿状部２としては、底部中央の存在しない、穴開き皿状部となる。図示の皿状部２は凹曲面状になっているが、鎖線２ａや図４、図５のように平坦状でもよい。
【００１６】この皿つきカップの用途は色々である。例えば、食べ物を入れる場合であれば、（２）のように、カップ部１にフライドポテト４などのような細長い物を入れる。そして、カップ部１を片手で持って、他方の手でフライドポテト４などを取って食べる。このようにカップ部１を手で握って持てるので、テーブルなどの台の無い、屋外などで歩きながら食べるのに最適である。
【００１７】カップ部１に限らず、皿状部２の上に渡って、種々の食べ物５を載せることができる。このように、カップ部１の上に、水平方向に広がった皿状部２を有しているので、カップ部１だけの場合に比べて、より大量の食べ物を載せることができる。また、カップ部１をしっかりと握って持てるので、歩きながら食べるのに適している。
【００１８】皿つきカップに入れる食べ物としては、ポップコーンやフライドチキンなどのファーストフードに限らず、例えば野菜サラダや煮物などを入れることもできる。また、かき氷などを入れることもできる。カップ部１にジュースなどの液体を入れることもできる。カップ部１に溜まっている液体を飲むには、ストローを用いることになる。
【００１９】図１（２）の鎖線２ａや図４、図５のように、皿状部２が平坦状だと、皿状部２には食べ物を置き、カップ部１にはジュースなどの飲み物を入れることができ、完全に使い分けできる。
【００２０】なお、この皿つきカップは、食べ物に限らず、カップ部１に花を差したりもできる。横方向に広がった皿状部２が有るので、花が散ったりしても、皿状部２の上に落ちるので、周囲に散らからず、掃除も楽になる。
【００２１】そのほか、この皿つきカップは、商品のディスプレイなどにも使用できる。
【００２２】しかしながら、図１のような皿つきカップは、カップ部１と皿状部２とが連続しているので、カップ部１の上には食べ物を置けず、皿状部２の面積が狭くなる。これに対し、図２の構造によると、カップ部１の上も皿状部と同様に利用でき、固形の食べ物を置くことができる。
【００２３】すなわち、例えば図３のような蓋板６をカップ部１の上端に載せて、開口部３を閉じる。蓋板６には、ストローを挿通する孔７を開けてある。
【００２４】使用に際しては、図２のように、カップ部１にはジュースなどのような液体８を入れる。そして、カップ部１の上端に蓋板６をセットして、開口部を閉じ、ストロー９を差してから、皿状部２に固形の食べ物５を入れる。
【００２５】このとき、図１の皿つきカップと違って、蓋板６の上にも食べ物５を載せることができる。したがって、皿状部２から蓋板６の上にわたって、広く使用でき、図１のように皿状部２の中央が開いていることを意識する必要が無い。すなわち、通常の皿を使用する場合と全く同じ要領でフルに使用できる。
【００２６】そして、蓋板６の上や皿状部２の上の食べ物５を取って食べたり、ストロー９を用いてカップ部１中の液体を飲むことができる。このように、カップ部１と皿状部２とを、完全に独立して使い分けできるので、一つの皿つきカップに液体を入れると共に、通常の皿と同様に固形の食べ物をより多量に入れることもでき、カップの機能と皿の機能とを充分に兼ね備えていることになる。
【００２７】図２の場合は、カップ部１の上端と皿状部２との境界部が凹状の段差になっているので、このＬ字状の段差部１０に、図３のような単純な円板状の蓋板６を載せるだけで、蓋板６がずれたりしないように、セットできる。
【００２８】蓋板６は、図４のような構成も可能である。すなわち、カップ部１の上端にＬ字状の段差部１０を有しない形状の場合は、蓋板６に、カップ部１の開口３の内側に入る下向きの突起１１を形成しておく。この突起は、例えば１２０度間隔に３ヶ所に形成してもよいし、全周にわたってリング状に形成してもよい。
【００２９】したがって、この蓋板６をカップ部１の上にセットしたときは、蓋板６の下向き突起１１がカップ部１の開口部３の内部に入るので、蓋板６がカップ部１の開口部３に位置決めされることになり、簡単に移動することはない。
【００３０】また、図４においては、カップ部１の上端と皿状部２ａとの境界部１２が上向きに隆起した形状になっている。その結果、皿状部２ａ中の食べ物の屑などが、カップ部１中に入り込むのを確実に防止できる。しかも、この上向きの環状隆起部１２の上に、蓋板６を載せてセットするので、蓋板６が皿状部２ａの面より高くなる。その結果、蓋板６上の食べ物や屑を皿状部２ａ側に確実かつ容易に排除して、蓋板６を外したりできる。そして、飲み物をお代わりしたりできる。
【００３１】図５は、図４の皿つきカップの平面図である。図１、図２の皿状部２は、凹曲面状になっているのに対し、図４、図５の皿状部２ａは、底面が平坦になっている。しかも、カップ部１の開口部３に環状隆起部１２が有るので、皿状部２ａ上の食べ物や屑などが、中央のカップ部１側に寄って来てカップ部１中に落ち込んだりすることはない。
【００３２】また、小さな凹状部１３が形成されている。このように小皿状の凹部１３があるため、調味料などを入れるのに適している。したがって、皿状部２ａには刺し身などを載せておき、凹状部１３に醤油やわさびなどを入れることもできる。凹状部１３には、液体に限らず、塩や砂糖、ジャムなどを入れることもできる。皿状部２ａには、サンドイッチやパン、ご飯、おかずなどを入れることもできる。
【００３３】なお、この凹状部１３の外周も環状隆起部１２と同様に隆起させておくと、凹状部１３とその外側の皿状部２ａとの仕切りがより確実になる。
【００３４】皿状部２ａの上面に、上向きに突出したリブ１４を畦状に設けることによって、食べ物を載せる皿面を複数に分割することもできる。このリブ１４で区切られた領域に、種類の異なる食べ物を区分けして入れるためである。なお、リブ１４によって、皿状部２ａが補強されるため、皿状部２ａ上に大量の食べ物を載せたために重量が増えても変形したりする恐れはない。
【００３５】図５においては、皿状部２ａの外周部に水平のフランジ状部１５を有しており、このフランジ状部１５に、凹部１６が形成されている。このように、皿状部２ａの外周の最も高い位置に、凹部１６が有るため、この凹部１６にスプーンやフォーク、箸などを載せておくと、スプーンやフォーク、箸などが容易に移動して落下したりするのを防止できる。
【００３６】図６は皿つきカップの側面図であり、前記のように外周部に形成した凹部１６がよく表現されている。凹部１６中の鎖線による表示は、箸の断面を例示している。なお、図６では、フランジ状部１５が無く、図２や図７のように凹曲面だけの皿状部２を例示している。
【００３７】図７は、カップ部１を持ち易くした例である。カップ部１は、通常のカップと同様にテーパ状になっていて、上端側が次第に太くなっている。１７、１８は親指と人指し指の当たる部分であり、この部分のみ、カップ部１全体のテーパ角度を示す鎖線位置よりテーパ角度を多少内側に変えてある。すなわち、親指と人指し指の当たる部分１７、１８だけ、その他の領域より多少引っ込むような方向にテーパ角度を変えてある。
【００３８】このように、親指と人指し指の当たる部分１７、１８だけ、その他の領域よりわずかでも引っ込めておくと、カップ部１を手に持ったとき、滑りにくくなり、安心できる。なお、成型方法によっては、親指と人指し指が入り易いように、充分に深い凹部に形成することもできる。
【００３９】図８は転倒防止手段の使用状態である。１９は支持具であり、円錐筒状体の上側半分を切除した形状になっている。したがって、側面から見た場合は、台形状をしている。この台形状の円錐筒状体１９の中に、上からカップ部１を挿入すると、図示の状態となる。すなわち、カップ部１の上端と皿状部２との境界部付近が、円錐筒状体１９の上端に支持されるようにする。
【００４０】このとき、円錐筒状体１９の高さを高くして、カップ部１の底部がテーブル面２０に接しない程度にすると、皿つきカップの全荷重が円錐筒状体１９にかかる。これに対し、カップ部１の底部がテーブル面２０に接する程度の高さにすると、通常は皿つきカップの全荷重がカップ部１にかかるが、皿つきカップが転倒しそうになると、円錐筒状体１９に支持されて、転倒が阻止される。
【００４１】なお、鎖線で示すように、円錐筒状体１９を小型化したような円錐筒状体１９ａを使用することもできる。この場合は、カップ部１の中間部が円錐筒状体１９ａで支持されることになる。このように、小型で低い円錐筒状体１９ａを使用する場合は、カップ部１が円錐筒状体１９ａの上端中に圧入されるように、円錐筒状体１９ａの上端の内径よりカップ部１の外径を大きめにしておくと、より確実に転倒防止できる。
【００４２】図９は、皿つきカップの平面図である。皿状部２の上端に水平方向のフンランジ部１５を形成して、このフンランジ部１５の外周を波状に形成してあるので、花状に見えて可愛い。ハート状に形成したりもできる。
【００４３】図６に鎖線で示すように、皿状部２の凹曲面状部の外周に波状の凹凸を形成してもよい。この場合は、波状によって花状に表現できるだけでなく、波状の凹部によって、スプーンやフォーク、箸などの移動防止の凹部１６の働きを兼ねさせることもできる。
【００４４】図１０は、図２や図４の皿状部２、２ａと蓋板６を一体化し、カップ部１を別体にした実施形態である。カップ部１の蓋板部６ｃの外周位置に下向きの円筒状部２ｂを一体に有している。この円筒状部２ｂは、皿状部２や蓋板部６ｃと一体成型してもよいし、別体を接着や溶着してもよい。この円筒状部２ｂは、カップ部１の開口部３中に圧入できる程度の寸法にすると、円筒状部２ｂがカップ部１から容易に離脱することはない。
【００４５】使用に際しては、カップ部１中に飲み物を入れてから、円筒状部２ｂをカップ部１の開口部３中に挿入することによって、皿状部２をカップ部１に一体化する。皿状部２には、一体化して、ストロー孔７にストローを挿通してから、食べ物を入れてもよいし、皿状部２に先に食べ物を入れてから、食べ物をかき分けてストロー孔７を見つけてストローを挿通してもよい。
【００４６】このように、カップ部１を別体にする場合は、カップ部１のみを透明体で構成すると、内部の液体が透けて見える。なお、カップ部１の上端を円筒状部２ｂ中に挿入する構造も可能である。
【００４７】以上の実施形態では、皿状部２、２ａの平面形状は円状になっているが、円状以外も可能であり、例えば四角形などでも差し支えない。
【００４８】
【発明の効果】
請求項１のように、カップ部の上端に、該カップ部より大径の皿状部を一体に有しており、該カップ部の上側は開口になっているので、カップ部に飲み物を入れておいてストローで飲むことができ、また皿状部には食べ物を載せておくことができる。
【００４９】したがって、皿状部のついたカップ部を片方の手で持てば、他方の空いた手でカップ部中の飲み物を飲んだり、皿状部の上の食べ物を取って食べたりでき、テーブルなどを必要とせず、立ったままの状態で容易に飲んだり食べたりできる。
【００５０】請求項２のように、カップ部の上側の開口を閉鎖する蓋板を有しているので、この蓋板の上にも食べ物を載せることができる。その結果、カップ部の上側の開口部も食べ物を載せるのに利用でき、より広いスペースを利用して、より大量の食べ物を載せることができる。また、該蓋板には、ストローを挿通する孔が開いていて、カップ部中の飲み物はストローによって容易に飲めるので、カップ部中の飲み物を飲むのに不自由はしない。
【００５１】請求項３のように、カップ部を手に持ったとき、親指と人差し指の当たる部分が、他の領域より引っ込んでいるので、カップ部が滑ったりするのを防止でき、安定よくカップ部を持つことができる。
【００５２】請求項４のように、皿状部に設けてある凹状部を小皿として利用でき、液体や粉体や粒体などの調味料を入れるのに便利である。したがって、皿状部に刺し身などを置いて食べる際に、凹状部に醤油やわさびなどを入れることができ、特別の醤油入れ用の小皿などを必要としない。
【００５３】請求項５のように、カップ部を挿入することによって転倒防止するための支持手段を有しているので、付近のテーブルや台などに一時的にカップ部を置く際に、皿状部を有していて安定性の悪い皿つきカップを転倒しないように安定よく置くことが可能となる。
【００５４】請求項６のように、請求項２のような蓋板つきの皿つきカップを使用する際に、カップ部の開口に蓋板をセットして、蓋板の上にも食べ物を載置できる。しかも、該蓋板の孔からストローを挿入して、カップ部中の液体を飲むことができるので、蓋板の上にも食べ物を載せても、特に支障が生じることはない。
【図面の簡単な説明】
【図１】本発明による皿つきカップの基本構成を示す図であり、（１）は斜視図、（２）は中心縦断面図である。
【図２】カップ部の開口を蓋板で閉じるようにした皿つきカップの中心縦断面図である。
【図３】カップ部の開口を閉じる蓋板の平面図である。
【図４】皿状部が平坦な皿つきカップの中心縦断面図である。
【図５】図４の皿つきカップの平面図である。
【図６】皿状部の別の実施形態を示す側面図である。
【図７】カップ部を持ち易くした例を示す中心縦断面図である。
【図８】転倒防止手段の使用状態を示す中心縦断面図である。
【図９】花状の皿つきカップの平面図である。
【図１０】皿状部と蓋板を一体化し、カップ部を別体にした実施形態の中心縦断面図である。
【符号の説明】
１　カップ部
２・２ａ　皿状部
２ｂ　円筒状部
３　開口
４　細長い食べ物
５　皿状部上の食べ物
６　蓋板
６ｃ　蓋部
７　ストロー挿通孔
８　液体
９　ストロー
１０　Ｌ字状の段差部
１１　下向き突起
１２　上向き隆起
１３　凹状部
１４　畦状のリブ
１５　フランジ状部
１６　凹部
１７・１８　滑り止め部分
１９・１９ａ　支持具
２０　テーブル面
【図１】
2004049662.tif 000003
【図２】
2004049662.tif 000004
【図３】
2004049662.tif 000005
【図４】
2004049662.tif 000006
【図５】
2004049662.tif 000007
【図６】
2004049662.tif 000008
【図７】
2004049662.tif 000009
【図８】
2004049662.tif 000010
【図９】
2004049662.tif 000011
【図１０】
2004049662.tif 000012